(57)【要約】【課題】医療用ドレーンチューブが突出している患部に設置するのに適しており、ドレーンチューブを通じて浸出する体液を確実に捕捉できる医療用吸収体を提供する。【解決手段】患者の身体３１の肌に対面する側に液透過性の表面シート１１が設けられ、外側に防漏シート１２が設けられ、両シートの間に吸収体１３が設けられている。肌に対面する第１の表面２では、表面シート１１および吸収体１３が防漏シート１２に向けて窪んでおり、この窪み部がポケット部２０となっている。体外へ延びるドレーンチューブ３２は前記ポケット部２０内に収納され、ドレーンチューブ２０を通じて浸出する体液を吸収体１３で捕捉できるようになる。【選択図】　　図３
2004033546.tif 000002
【特許請求の範囲】
【請求項１】
身体との当接側である第１の表面に現れる表面シートと、前記第１の表面と逆向きの第２の表面に現れる液不透過性の防漏シートと、前記表面シートと前記防漏シートとの間に位置する吸収体とを有する医療用吸収性物品において、
前記表面シートと前記吸収体とが、前記第１の表面側から前記第２の表面側に向けて窪みを形成し、前記窪み内に前記表面シートで囲まれその入口が前記第１の表面に現れるポケット部が設けられており、前記表面シートは少なくとも前記ポケット部内に位置している部分が液透過性であることを特徴とする医療用吸収性物品。
【請求項２】
前記表面シートと前記表面シートよりも面積の小さい前記吸収体とが重ねられて前記表面シートの一部が前記吸収体の縁部よりも外側へ突出する延出部とされており、前記表面シートと前記吸収体とが一緒に折り畳まれて、前記ポケット部が形成されるとともに前記延出部に前記表面シートが複数枚重ねとなるシート畳み部が形成されており、前記延出部および前記シート畳み部が前記防漏シートに接合されている請求項１記載の医療用吸収性物品。
【請求項３】
前記表面シートと前記吸収体との積層体は、吸収性物品の相反する向きの２つの端部のうちの一方の端部から前記第１の表面に沿って延びる第１の部分と、前記第１の部分から前記防漏シート側へ折り返された第２の部分と、前記第２の部分から折り返されて他方の端部に向かう第３の部分とを有し、前記第２の部分と前記第３の部分との間に前記ポケット部が形成されている請求項２記載の医療用吸収性物品。
【請求項４】
前記表面シートと前記防漏シートは共に熱融着可能な素材で形成されており、前記吸収体よりも外側で、前記表面シートと前記防漏シートとが熱融着されて接合されている請求項１ないし３のいずれかに記載の医療用吸収性物品。
【請求項５】
前記第１の表面には、身体の肌に接着させる接着剤層が、前記ポケットを囲むように形成されている請求項１ないし４のいずれかに記載の医療用吸収性物品。
【発明の詳細な説明】
【０００１】
【発明の属する技術分野】
本発明は、身体に取付けられた医療用ドレーンチューブから浸出する体液を吸収保持するのに適した医療用吸収性物品に関する。
【０００２】
【従来の技術およびその課題】
医療手術の後に体内から膿液などの浸出液を体外へ排出させるために、ドレーンチューブを身体に取付けることがある。このドレーンチューブは、医療手術後の一定の期間が経過するまで、体内から体外へ突出した状態で取付けられる。一般的には、身体から突出している前記ドレーンチューブの根元にガーゼが巻きつけられ、さらにチューブの先端の開口部がガーゼで覆われ、その上から防漏紙が被せられて、防漏紙がテープで身体の肌表面に固定される。この状態で、前記ドレーンチューブを通じて体外へ浸出する膿液などの体液を前記ガーゼで吸い取るようにしている。
【０００３】
しかし、前記ガーゼは保水能力が乏しいため、多量の体液が浸出したときには、体液が患者の身体に付着したり、防漏紙から外部へ漏れるなどの問題がある。そのため、ガーゼおよび防漏紙を頻繁に交換する必要があり、また防漏紙から滲み出たりガーゼに付着した膿液などが処置者の手に触れることにより感染の心配が生じる。また膿液が患者の身体に付着して乾燥すると、ガーゼが身体に貼り付いて、剥がすときに肌に痛みを感じる問題もある。
【０００４】
また、ドレーンチューブを覆う吸収性シートとして、身体に向く面に液透過性の表面シートが設けられ、それと逆の外面に液不透過性の防漏シートが設けられ、表面シートと防漏シートの間に吸収体を挟んだ状態で、吸収体の外側で前記表面シートと防漏シートとを接着させたものも考えられている。この吸収性シートは、吸収体と防漏シートとが一体であるため、交換が容易であり、また吸収体で吸収された体液が防漏シートで遮断されるため、処置者の手に膿液などが付着し難い利点を有している。
【０００５】
しかし、身体から突出しているドレーンチューブを、平坦な前記吸収性シートで覆っただけでは、ドレーンチューブを通じて浸出する体液を吸収性シートで確実に捕捉できないことがあり、またドレーンチューブから浸出する体液が患者の肌に付着するのを防止することも難しい。また平坦な吸収性シートを患部に設置したときに、ドレーンチューブに無理な力が作用し、ドレーンチューブに曲がりが生じて、体液の浸出を妨げる心配もある。
【０００６】
本発明は上記従来の課題を解決するものであり、ドレーンチューブを通じて浸出した体液を確実に保持でき、前記体液が身体に付着するのを防止でき、また使用後は手を汚すことなく廃棄することが可能な医療用吸収性物品を提供することを目的としている。
【０００７】
【課題を解決するための手段】
本発明は、身体との当接側である第１の表面に現れる表面シートと、前記第１の表面と逆向きの第２の表面に現れる液不透過性の防漏シートと、前記表面シートと前記防漏シートとの間に位置する吸収体とを有する医療用吸収性物品において、
前記表面シートと前記吸収体とが、前記第１の表面側から前記第２の表面側に向けて窪みを形成し、前記窪み内に前記表面シートで囲まれその入口が前記第１の表面に現れるポケット部が設けられており、前記表面シートは少なくとも前記ポケット部内に位置している部分が液透過性であることを特徴とするものである。
【０００８】
この医療用吸収性物品は、ドレーンチューブを覆うポケット部を有しているため、ドレーンチューブを通じて浸出した液を外部に漏らすことなく吸収体で捕捉しやすくなっている。また、外側が防漏シートで覆われているため、液が外部に滲み出ることがなく、処置者の手などを汚しにくい。
【０００９】
例えば、この医療用吸収性物品は、前記表面シートと前記表面シートよりも面積の小さい前記吸収体とが重ねられて前記表面シートの一部が前記吸収体の縁部よりも外側へ突出する延出部とされており、前記表面シートと前記吸収体とが一緒に折り畳まれて、前記ポケット部が形成されるとともに前記延出部に前記表面シートが複数枚重ねとなるシート畳み部が形成されており、前記延出部および前記シート畳み部が前記防漏シートに接合されているものとして構成できる。
【００１０】
このように、表面シートと吸収体とが一緒に折り畳まれて防漏シートに接合されてポケット部が形成されているため、製造が簡単である。また吸収体は表面シートと一緒に折られ、この表面シートの畳み部が防漏シートに接合されているため、吸収体は表面シートと一緒に折り畳まれた状態を維持でき、ポケット部内で吸収体が表面シートから離れにくい構造となっている。したがってポケット内に浸出した液は吸収体で確実に捕捉できるようになる。
【００１１】
例えば、前記表面シートと前記吸収体との積層体は、吸収性物品の相反する向きの２つの端部のうちの一方の端部から前記第１の表面に沿って延びる第１の部分と、前記第１の部分から前記防漏シート側へ折り返された第２の部分と、前記第２の部分から折り返されて他方の端部に向かう第３の部分とを有し、前記第２の部分と前記第３の部分との間に前記ポケット部が形成されている構造である。
【００１２】
このような折り畳み構造であると医療用吸収性物品が平坦な構造のものとなり、薄型で嵩ばらないものにできる。
【００１３】
また、　前記表面シートと前記防漏シートは共に熱融着可能な素材で形成されており、前記吸収体よりも外側で、前記表面シートと前記防漏シートとが熱融着されて接合されていることが好ましい。
【００１４】
さらに、前記第１の表面には、身体の肌に接着させる接着層が、前記ポケットを囲むように形成されているものとすると、表面シートが患者の肌に接した状態で吸収性物品全体を身体に確実に固定できるようになる。
【００１５】
【発明の実施の形態】
図１は本発明の医療用吸収性物品の第１の実施の形態を示すものであり、患者の身体に当たる第１の表面を上向きにして示した斜視図、図２は図１のＩＩ−ＩＩ矢視方向からの断面図、図３は前記第１の表面を患者の身体に向けて設置した状態を示す断面図、図４は身体に設置された状態を示す外観斜視図、図５は本発明の医療用吸収性物品の第２の実施の形態を示すものであり、図２と同じ断面図である。
【００１６】
図１ないし図４に示す第１の実施の形態の医療用吸収性物品１は、患者の身体に向けられる側が第１の表面２で、患者の身体に設置したときに外側となるのが第２の表面３である。
【００１７】
前記医療用吸収性物品１は、使用前の状態が平坦となった四辺形であり、互いに逆向きとなる２つの辺が第１の端部４および第２の端部５であり、前記両端部４，５と異なる向きの２つの辺が第３の端部６および第４の端部７である。
【００１８】
第１の表面２には、表面シート１１が現れ、第２の表面３は防漏シート１２で覆われ、前記表面シート１１と防漏シート１２との間にシート状の吸収体１３が位置している。表面シート１１は、その全面が液透過性で且つ熱融着可能なものであり、防漏シート１２は、液不透過性で且つ熱融着可能なものである。また、前記防漏シート１２は、透明なもの、または光線の透過率が２０％以上である半透明なものを使用することが好ましい。防漏シート１２を透明または半透明なものとすると、患者の身体に設置したときに、吸収体１３の液の吸収状態や汚れ方を外部から目視で確認できるようになる。
【００１９】
図１と図２に示すように、前記吸収体１３は表面シート１１よりも面積が小さいものであり、前記表面シート１１と吸収体１３とが重ねられたものにおいて、表面シート１１の周縁部は前記吸収体１３の縁部よりも外側へ延出している。すなわち、前記第１の端部４では、表面シート１１の一部が前記吸収体１３の縁部１３ａよりも外側に延出してシート延出部１１ａが形成されており、第２の端部５でも表面シート１１の一部が前記吸収体１３の縁部１３ｂよりも外側に延出してシート延出部１１ｂが形成されている。同様に、第３の端部６と第４の端部７においても、表面シート１１の一部が、吸収体１３の縁部１３ｃ，１３ｄよりも外側に延出してシート延出部１１ｃと１１ｄが形成されている。
【００２０】
前記表面シート１１と吸収体１３との積層体１５は、第１の端部４と第２の端部５と平行に延びる折り部１６ａおよび同じく平行に延びる折り部１６ｂによって折り畳まれている。
【００２１】
図１と図２に示すように使用前の平坦な状態では、前記積層体１５のうちの前記第１の端部４の近傍から前記折り部１６ａまでの範囲の第１の部分１５ａが、第１の表面２に現れており、前記折り部１６ａと折り部１６ｂとの間の第２の部分１５ｂが第１の部分１５ａの裏側に重ねられている。そして、前記積層体１５の第３の部分１５ｃが、前記折り部１６ｂから第２の端部５に向けて前記防漏シート１２の内面１２ａに沿って延びている。
【００２２】
このように表面シート１１と吸収体１３との積層体１５が折り部１６ａと折り部１６ｂとで一緒に折り畳まれると、吸収体１３の縁部１３ｃの外側に位置する前記シート延出部１１ｃでは、表面シート１１が３枚重ねに折り畳まれてシート畳み部１１ｅが形成され、吸収体１３の縁部１３ｄよりも外側に位置する前記シート延出部１１ｄでは、表面シート１１が３枚重ねに折り畳まれてシート畳み部１１ｆが形成される。
【００２３】
第１の端部４と第２の端部５では、前記表面シート１１のシート延出部１１ａおよび１１ｂと、防漏シート１２とが、それぞれの端部に沿って帯状に連続して延びる接合線１７ａと接合線１７ｂによって接合されている。そして、第３の端部６では、前記シート延出部１１ｃと防漏シート１２とが前記端部に沿って帯状に連続して延びる接合線１７ｃによって接合されており、この接合線１７ｃでは、前記シート畳み部１１ｅにおいて、折り畳まれている３枚の表面シート１１が、一緒に防漏シート１２に接合されている。第４の端部７においても、表面シート１１と防漏シート１２とが、前記端部に沿って帯状に連続して延びる接合線１７ｄによって接合されており、この接合線１７ｄにより、シート畳み部１１ｆにおいて３枚重ねとされている表面シート１１が一緒に防漏シート１２に接合されている。
【００２４】
この実施の形態では、前記表面シート１１と防漏シート１２とが共に熱融着可能な材料で形成されており、前記接合線１７ａ，１７ｂ，１７ｃ，１７ｄでは、直接に熱を与える熱シール、または超音波による誘導加熱を利用した超音波シールなどによって表面シート１１と防漏シート１２とが融着されている。ただし、前記接合線１７ａ，１７ｂ，１７ｃ，１７ｄにおいて、前記表面シート１１と防漏シート１２とが接着剤を介して接着されているものであってもよい。
【００２５】
そして、前記表面シート１１と吸収体１３とから成る積層体１５の第２の部分１５ｂと第３の部分１５ｃとで挟まれた領域がポケット部２０となっている。このポケット部２０の内部は、上下が表面シート１１で挟まれるようにして囲まれている。そしてこのポケット部２０の入口２１が第１の表面２に現れている。
【００２６】
前記のようにポケット部２０において、表面シート１１と吸収体１３とが一緒に折り畳まれ、ポケット部２０の両側のシート畳み部１１ｅと１１ｆでは、表面シート１１の一部が３枚に折り畳まれた状態で、防漏シート１２に接合されている。そのため、吸収体１３が表面シート１１と共に折り畳まれた状態を維持できるようになり、表面シート１１と防漏シート１２との間で、吸収体１３が平坦な状態に広がってしまうなどの現象が生じにくくなる。
【００２７】
すなわち、前記ポケット部２０は、表面シート１１と吸収体１３とが防漏シート１２に向くように窪んでおり、ポケット部２０内では、常に表面シート１１と吸収体１３とが接した状態を維持できるようになっている。
【００２８】
図２に示すように（図１では図示省略している）、前記第１の表面２では、前記第１の端部４、第２の端部５、第３の端部６および第４の端部７に沿って、接着剤層１８が設けられており、第１の表面２を患者の身体に向けて設置したときに、前記接着剤層１８を介して前記各端部４，５，６，７を肌表面に密着させて固定することが可能となっている。
【００２９】
前記医療用吸収性物品１の使用方法の一例を図３および図４に基づいて説明する。
【００３０】
この医療用吸収性物品１は、患者の身体３１の体内から体外へ突出するドレーンチューブ３２が設けられた患部に使用するのに適している。前記ドレーンチューブ３２は、体内から浸出する膿液などの体液を体外へ排出させるために取付けられるものであり、例えば医療手術の後の一定の期間取付けられた状態となる。
【００３１】
図３に示すように、前記医療用吸収性物品１は、第１の表面２を患者の身体３１の肌に向けて設置する。このとき、ドレーンチューブ３２を、医療用吸収性物品１のポケット部２０内に差込むようにし、第１の表面２を患者の肌に密着させ、各端部４，５，６，７を前記接着剤層１８を介して肌の表面に接着して固定する。
【００３２】
前述のように、ポケット部２０では、表面シート１１と吸収体１３が一緒に折り畳まれ、吸収体１３の縁部１３ｃと１３ｄの外側では、シート畳み部１１ｅ，１１ｆにおいて表面シート１１が折り畳まれたまま防漏シート１２に接合されている。したがって、ドレーンチューブ３２は、その開口部３３がポケット部２０の奥部に入り込んだ状態で、第２の部分１５ｂに位置する表面シート１１および吸収体１３と、第３の部分１５ｃに位置する表面シート１１および吸収体１３とでしっかり保持されるようになる。
【００３３】
また、前記接合線１７ａ，１７ｂ，１７ｃ，１７ｄよりも内側の領域で、吸収体１３と防漏シート１２とが接着されておらず、吸収体１３と防漏シート１２とはその対面部において互いに自由度を有している。したがって、図３に示すように、ポケット部２０内にドレーンチューブ３２が入り込んだ状態で、表面シート１１と吸収体１３とが防漏シート１２の下で比較的自由に動くことができる。よって、ドレーンチューブ３２に無理な力が作用せず、ドレーンチューブ３２が折り曲がるなどの心配がなくなる。なお、前記表面シート１１と吸収体１３の界面は、液の透過を阻害しないようにランダムに塗布された接着剤で接着してもよいし、接着しなくてもよい。
【００３４】
ドレーンチューブ３２を通じて体内から浸出した体液は、開口部３３から出た後に、直ちに表面シート１１を透過して吸収体１３に吸収される。ドレーンチューブ３２の周囲には常に表面シート１１とこれに密着した吸収体１３が位置しているため、ドレーンチューブ３２から浸出した体液は、ドレーンチューブ３２の根元に戻ることなく吸収体１３内で確実に捕捉されるようになる。また、万が一体液が患者の肌に向けて流れたときでも、その位置に存在している表面シート１１を透過して吸収体１３内に吸収されるようになる。
【００３５】
また、吸収体１３の外側が防漏シート１２で覆われているため、吸収体１３に吸収された体液が処置者の手などに付着するおそれが少なくなる。
【００３６】
なお、図４に示すように、前記医療用吸収性物品１の各端部４，５，６，７において、防漏シート１２の上から患者の肌にかけて、接着剤層を有する医療用のテープ１９ａ，１９ｂ，１９ｃ，１９ｄで接着固定してもよい。このテープは、前記接着剤層１８による接着と併用してもよいし、または前記接着剤層１８を有しない医療用吸収性物品１の場合に、前記接着剤層１８による接着の代りにテープ１９ａ，１９ｂ，１９ｃ，１９ｄを使用してもよい。
【００３７】
前記表面シート１１は、多数の液透過孔が形成された樹脂フィルム、多数の網目を有するネット状シート、液透過性の不織布、または織布などで形成される。前記樹脂フィルムやネット状シートは、ポリプロピレン（ＰＰ）、ポリエチレン（ＰＥ）、ポリエチレンテレフタレート（ＰＥＴ）などで形成されたものを使用できる。また不織布としては、レーヨンなどのセルロース繊維、合成樹脂繊維などから形成されたスパンレース不織布、前記合成樹脂繊維で形成されたエアースルー不織布などを用いることができる。また表面シート１１の素材として、ポリ乳酸、キトサン、ポリアルギン酸などの生分解性が可能な天然物を用いることもできる。また、表面シート１１に多数の液透過孔を形成すると共に、シリコーン系やフッ素系の撥水性油剤を塗布して、表面シート１１の外面に体液が付着しずらいものとしてもよい。
【００３８】
吸収体１３は、パルプ、綿、レーヨン、アセテートなどの親水性繊維の積層体のみで形成されたもの、アクリル系樹脂や、ポリビニルアルコール（ＰＶＡ）などの樹脂材料や、ゼラチン、セルロース、でんぷん、ポリアルギン酸などの天然物、ポリグルタミン酸、ポリリジンなどのポリアミノ酸系樹脂などの吸水性樹脂のいずれかから選ばれた樹脂のみで形成されたもの、または前記親水性繊維と前記吸水性樹脂との混合体などで形成される。
【００３９】
防漏シート１２は、ポリエチレン、ポリプロピレン、ポリエチレンテレフタレートなどのポリオレフィン系樹脂で形成された樹脂フィルム、ポリアクリル酸、ポリメタクリル酸誘導体、ポリエステル、ポリウレタンなどで形成されたフィルム、合成樹脂繊維で形成された液不透過性の不織布などで形成される。
【００４０】
また、前記接着剤層１８は、アクリル系粘着剤、ゴム系粘着剤などの粘着剤の他、肌に密着して接着力を発揮するセルロース系、ポリビニルアルコール系、ゼラチン、ポリグルタミン酸、ポリリジンなどのポリアミノ酸ゲルを用いることもできる。
【００４１】
次に、前記医療用吸収性物品１の製造方法の一例を説明する。
図１に示すＹ方向が長手方向となる帯状の表面シート１１に、互いに区分された吸収体１３を重ねる工程と、前記表面シート１１と吸収体１３を折り部１６ａと１６ｂで一緒に折り畳み、このとき左右のシート延出部１１ｃと１１ｄにおいても表面シート１１のみを折り畳んでシート畳み部１１ｅ，１１ｆを形成する工程と、Ｙ方向が長手方向となる帯状の防漏シート１２と前記表面シート１１とを前記吸収体１３を挟んで重ねて、前記接合線１７ａ，１７ｂ，１７ｃ，１７ｄで防漏シート１２と表面シート１１とを接合する工程と、防漏シート１２と表面シート１１とを前記接合部１７ａと接合部１７ｂとの間で切断して個々の医療用吸収性物品１を分離する工程と、を有することで前記製造を行うことができる。
【００４２】
次に、図５は本発明の第２の実施の形態の医療用吸収性物品１０１を示している。
【００４３】
なお、前記医療用吸収性物品１０１において、前記第１の実施の形態の医療用吸収性物品１と同じ部分には同じ符号を付してその詳しい説明を省略する。
【００４４】
この医療用吸収性物品１０１では、表面シート１１と吸収体１３との積層体１１５が、折り部１１６ａ，１１６ｂ，１１６ｃ，１１６ｄで折り畳まれている。前記積層体１１５は、第１の端部４と折り部１１６ａとの間の第１の部分１１５ａと、第２の端部５と折り部１１６ｄとの間の第５の部分１１５ｅが、第１の表面２に現れている。折り部１１６ａと折り部１１６ｂの間の第２の部分１１５ｂは、第１の端部４に向けて折り返され、折り部１１６ｃと折り部１１６ｄの間の第４の部分１１５ｄは第２の端部５に向けて折り返されている。折り部１１６ｂと折り部１１６ｃとの間の第３の部分１１５ｃは、防漏シート１２の内面１２ａに対面している。
【００４５】
また、第３の端部６と第４の端部７においては、吸収体１３の縁部１３ｃと１３ｄよりも外側で、表面シート１１が図５に示す折り畳み状態を維持した前記シート畳み部１１ｅ，１１ｆと同様にシート畳み部が形成されており、このシート畳み部で重ねられた各シートが防漏シート１２に接合されている。
【００４６】
そして、前記積層体１１５の、第２の部分１１５ｂ、第３の部分１１５ｃおよび第４の部分１１５ｄで囲まれたポケット部１２０が形成されており、このポケット部１２０の入口１２１が第１の表面２に現れている。
【００４７】
この医療用吸収性物品１０１においても、ドレーンチューブ３２を前記ポケット部１２０内に入り込ませた状態で、患者の身体に設置して固定することができる。
【００４８】
なお、前記各実施の形態では、表面シート１１が１枚のシートで形成され、表面シート１１が全面において液透過性のものとなっているが、この表面シート１１を、種類の相違するシートが接合されたもので形成し、表面シート１１の一部のみを液透過性としてもよい。例えば、前記ポケット部２０，１２０の内部に入り込んでいる部分でのみ表面シート１１を液透過性とし、またはポケット部２０，１２０の内部に入り込んでいる部分および入口２１，１２１の近傍のみを液透過性とし、それ以外の部分で表面シート１１を液不透過性としてもよい。
【００４９】
前記ポケット部２０，１２０内、またはこれと入口２１，１２１の近傍を液透過性としておけば、ドレーンチューブ３２から浸出する体液を吸収体１３で吸収保持でき、それ以外の部分で表面シート１１を液不透過性としておけば、吸収体１３で吸収された体液が、患者の肌に付着するのを防止できる。
【００５０】
【発明の効果】
以上のように本発明によれば、ドレーンチューブが突出する患部などに使用するのに適した医療用吸収性物品を得ることができる。この医療用吸収性物品では、ドレーンチューブを通じて浸出する体液を確実に保持でき、外部に漏れにくくなり、処置者にとっても取り扱いの容易なものとなる。
【図面の簡単な説明】
【図１】本発明の第１の実施の形態の医療用吸収性物品を肌に対面する第１の表面を上向きにして示した斜視図、
【図２】図１の断面をＩＩ−ＩＩ矢視方向から見た断面図、
【図３】前記医療用吸収性物品を患者の肌に設置した状態を示す断面図、
【図４】前記医療用吸収性物品を患者の肌に設置した状態を示す外観斜視図、
【図５】本発明の第２の実施の形態の医療用吸収性物品を示す断面図、
【符号の説明】
１，１０１　医療用吸収性物品
２　第１の表面
３　第２の表面
４　第１の端部
５　第２の端部
６　第３の端部
７　第４の端部
１１　表面シート
１１ａ，１１ｂ，１１ｃ，１１ｄ　シート延出部
１１ｅ，１１ｆ　シート畳み部
１２　防漏シート
１３　吸収体
１５，１１５　積層体
１５ａ，１１５ａ　第１の部分
１５ｂ，１１５ｂ　第２の部分
１５ｃ，１１５ｃ　第３の部分
１１５ｄ　第４の部分
１１５ｅ　第５の部分
１６ａ，１６ｂ，１１６ａ，１１６ｂ，１１６ｃ，１１６ｄ　折り部
１８　接着剤層
２０，１２０　ポケット部
２１，１２１　入口
【図１】
2004033546.tif 000003
【図２】
2004033546.tif 000004
【図３】
2004033546.tif 000005
【図４】
2004033546.tif 000006
【図５】
2004033546.tif 000007